(57)【要約】【課題】植物の枯れが生じにくく、好適に緑化を施すことが可能な緑化構造体及びこれを備えた縦型緑化ルーバーを提供する。【解決手段】植栽が施される基盤２と、基盤２を保持するためのフレーム部材３とを備えて柱状もしくは壁状に形成されるとともに、構造物の壁面が向く方向又は南方向に正面を向けて配設されるとともに、正面にフレーム部材３によって形成されるフレーム面６を配設し、側面に基盤２が露出して形成される植栽面８、９を配設して構成する。【選択図】図１
2015211660.tif 000002
【特許請求の範囲】
【請求項１】
植栽が施される基盤と、基盤を保持するためのフレーム部材とを備えて柱状もしくは壁状に形成されるとともに、
構造物の壁面が向く方向又は南方向に正面を向けて配設されるとともに、該正面に前記フレーム部材によって形成されるフレーム面を配設し、側面に前記基盤が露出して形成される植栽面を配設して構成されていることを特徴とする緑化構造体。
【請求項２】
請求項１記載の緑化構造体において、
正面と背面をそれぞれ形成する一対のフレーム部材を備え、
前記一対のフレーム部材の間に挟み込むように前記基盤を配設し、一対の側面に前記植栽面が形成されていることを特徴とする緑化構造体。
【請求項３】
請求項１または請求項２に記載の緑化構造体において、
前記フレーム部材には、前記植栽面を被覆するメッシュ状の基盤保持部材が設けられていることを特徴とする緑化構造体。
【請求項４】
請求項１から請求項３のいずれか一項に記載の緑化構造体において、
上下方向に延びる回動軸周りに回動可能に構成されていることを特徴とする緑化構造体。
【請求項５】
請求項１から請求項４のいずれか一項に記載の緑化構造体を、所定の間隔をあけて複数並設して構成されていることを特徴とする縦型緑化ルーバー。
【請求項６】
請求項５記載の縦型緑化ルーバーにおいて、
前記複数の緑化構造体を接地面上に立設して構成されていることを特徴とする縦型緑化ルーバー。
【請求項７】
請求項５記載の縦型緑化ルーバーにおいて、
前記複数の緑化構造体が構造物に一体に設けられ、且つ前記構造物の荷重を支える構造部材として設けられていることを特徴とする縦型緑化ルーバー。
【発明の詳細な説明】
【技術分野】
【０００１】
本発明は、緑化構造体及びこれを備えた縦型緑化ルーバーに関する。
【背景技術】
【０００２】
従来、都市部におけるヒートアイランド現象の緩和や大気中の炭酸ガスの吸収、アメニティ空間の創出などを目的として、建物や土木構造物（構造物）の壁面に植栽を施す壁面緑化が行なわれている。
【０００３】
この種の緑化システムには、建物などの壁面に支持部材を固設し、この支持部材に壁面緑化ユニットを吊り下げ状態で設置して、建物に緑化を施すようにした壁面緑化システムがある（例えば、特許文献１参照）。
【０００４】
また、ワイヤーやネットに支持させながらプランター内の植栽土壌に植栽したツタなどの植物を生育させ、建物の壁面に緑化を施すようにしたものもある。
【０００５】
一方、緑化ユニットを吊り下げ支持して建物の壁面に緑化を施す壁面緑化システムにおいては、比較的植物の生育が良く、デザイン性やメンテナンス性に優れるが、夏期などの強すぎる日射によって植物の枯れや土壌の乾燥が生じることも考えられ、万一、植物の一部に枯れが発生した場合には、逆に壁面の見栄えを悪くしてしまう。
【０００６】
また、ワイヤーやネットなどを用いた緑化システムにおいては、比較的低コストで緑化を実現でき、窓の前など緑越しに外の景色が見えるようにしたい場合などに多く採用されている。しかしながら、植物種をワイヤーやネットなどに絡みつくツタなどに限定する必要があり、また、風によって葉が叩かれるなどの影響で生育が悪くなる場合がある。
【０００７】
これに対し、ルーバー型の緑化システムが提案、実用化されている。このルーバー型の緑化システム（横型緑化ルーバー）は、水平方向に延設されるとともに上下方向に所定の間隔をあけて並設したプランター状の容器内に基盤を収容し、この基盤に植物を植栽して構成されている（例えば、特許文献２、特許文献３、特許文献４参照）。また、水平に配され、コケなどの植物を植栽した板状の基盤を上下方向に所定の間隔をあけて配設して構成したものもある（例えば、特許文献５、特許文献６、特許文献７参照）。そして、このようルーバー型の緑化システムにおいては、デザイン性やメンテナンス性を維持しつつルーバー角度を適宜調整することで、植物の枯れや土壌の乾燥を抑止することができる。
【０００８】
さらに、支持材のポールの周囲にプランターや緑化基盤を設け、ポールの周囲を緑化するように構成したポール型の緑化システムも提案、実用化されている（例えば、特許文献８、特許文献９、特許文献１０参照）。
【先行技術文献】
【特許文献】
【０００９】
【特許文献１】特開２０１０−１７１６１号公報
【特許文献２】特開２００２−３４３４７号公報
【特許文献３】特開２００６−２４６７３５号公報
【特許文献４】特開２００９−２９１０９８号公報
【特許文献５】特開２００７−２２２０３１号公報
【特許文献６】特開２００８−２０８５３７号公報
【特許文献７】特開２０１１−４６６０号公報
【特許文献８】特開平０９−９７９１号公報
【特許文献９】特開平１１−２２０９５４号公報
【特許文献１０】特開２０１１−６７１４０号公報
【発明の概要】
【発明が解決しようとする課題】
【００１０】
しかしながら、横型ルーバーを備えた緑化システムにおいては、ルーバーが分厚く、重量が大きくなり、また、各ルーバーへの灌水や排水を行うための手段が複雑になる。さらに、水を基盤全体に行き渡らせるために、且つ確実に排水させるために、ルーバーを傾斜させることも必要になり、このように水勾配をもたせるとルーバーの傾斜によって見栄えが悪くなってしまう。
【００１１】
一方、板状の基盤を用いて横型ルーバーを構成した緑化システムにおいては、基盤が比較的薄い板状であることにより軽量化が可能になるが、植栽できる植物がコケなどに限定される。また、プランター状の容器内に基盤を収容した緑化システムと同様、給水や排水、水勾配の問題がある。
【００１２】
これに対し、ポール型の緑化システムは、ポールの上方から給水すれば順次下方に灌水が流下して排出されるため、横型ルーバーを備えた緑化システムと比較し、給水や排水が容易に行える。しかしながら、このポール型の緑化システムにおいても、プランターや緑化基盤をポールに設置するため、分厚くなり、また重量も大きくなってしまう。さらに、緑化部材が周囲から直接見えるため、部材の見栄えなどに配慮が必要になって高コスト化する。また、一般的な壁面と同様、強すぎる日射による植物の枯れや土壌の乾燥が発生しやすく、万が一、植物が枯れた場合には逆に見栄えを悪くしてしまう。
【００１３】
本発明は、上記事情に鑑み、植物の枯れが生じにくく、好適に緑化を施すことが可能な緑化構造体及びこれを備えた縦型緑化ルーバーを提供することを目的とする。
【課題を解決するための手段】
【００１４】
上記の目的を達するために、この発明は以下の手段を提供している。
【００１５】
本発明の緑化構造体は、植栽が施される基盤と、基盤を保持するためのフレーム部材とを備えて柱状もしくは壁状に形成されるとともに、構造物の壁面が向く方向又は南方向に正面を向けて配設されるとともに、該正面に前記フレーム部材によって形成されるフレーム面を配設し、側面に前記基盤が露出して形成される植栽面を配設して構成されていることを特徴とする。
【００１６】
この発明においては、柱状もしくは壁状に形成されるとともに、正面がフレーム部材のフレーム面で形成され、側面が基盤を露出させた植栽面で形成されているため、植物が緑化構造体の側面の植栽面から横方向に生育することになる。これにより、強すぎる日射を主にフレーム面に照射させ、植物の枯れや基盤の乾燥を抑止することが可能になる。
【００１７】
また、柱状もしくは壁状に形成されているため、例えば、上方に給水管（灌水チューブ）を配設し、また上方から下方に基盤に沿って給水管を配設し、この給水管から水を供給することで好適に給水を行うことができる。さらに、給水管から基盤に供給した水が順次流下して下方の基盤に供給され、緑化構造体の下端部側でまとめて排出させることができる。これにより、簡易な構成で好適に給水、排水を行うことができる。
【００１８】
また、本発明の緑化構造体においては、正面と背面をそれぞれ形成する一対のフレーム部材を備え、前記一対のフレーム部材の間に挟み込むように前記基盤を配設し、一対の側面に前記植栽面が形成されていることが望ましい。
【００１９】
この発明においては、緑化構造体の両側面に植栽面を形成でき、緑化構造体の両側から植物を生育させることができる。また、一対のフレーム部材を正面側と背面側に配しつつ基盤を挟み込むように配設するだけで、容易に緑化構造体を形成することができる。
【００２０】
さらに、本発明の緑化構造体において、前記フレーム部材には、前記植栽面を被覆するメッシュ状の基盤保持部材が設けられていることがより望ましい。
【００２１】
この発明においては、側面に配設された植栽面を被覆するようにメッシュ状の基盤保持部材が設けられていることにより、万一、風雨などで基盤に崩れが生じた場合であっても基盤保持部材で保持することができる。これにより、基盤が崩落するなどして植物の生育に支障を招くことを防止でき、好適に植物を生育させることができる。
また、基盤保持部材を設けることにより、灌水用の給水管を基盤との間で挟み込むようにして保持することも可能になる。これにより、灌水の給水、排水のための構成が複雑になることを防止できる。
【００２２】
また、本発明の緑化構造体においては、上下方向に延びる回動軸周りに回動可能に構成されていることがさらに望ましい。
【００２３】
この発明においては、緑化構造体を適宜回動軸周りに回転させることで、光の照射方向に応じて向きを変えることができ、植物に光を意図的に照射させたり、背面側の建物内などに光を取り込めるように調整することができる。また、メンテナンス時にも緑化構造体を回転させることで作業性をよくすることができる。
【００２４】
本発明の縦型緑化ルーバーは、上記のいずれかの緑化構造体を、所定の間隔をあけて複数並設して構成されていることを特徴とする。
【００２５】
この発明においては、緑化構造体を縦型のルーバーとして備えることにより、上記の緑化構造体の作用効果を得ることができ、日射や風の影響を少なくし、好適に植物を生育させることが可能な緑化システムを構築することが可能になる。また、万一植物に枯れが発生した場合であっても、緑化構造体の側面から植物が生育し、正面がフレーム面とされているため、縦型緑化ルーバー全体としての見栄えの悪化を招くことがない（抑えることができる）。
【００２６】
また、側面から植物が生育し、側面同士を対向させるように並設された複数の緑化構造体を縦型ルーバーとして用いているため、隣り合う緑化構造体の間を通じ、緑越しに景観を楽しむことができる。さらに、側面から植物を生育させるように構成した複数の緑化構造体を並設して縦型緑化ルーバーを構成するようにしたことで、従来の壁面緑化システムや、ネット、ワイヤーを用いた緑化システムなどと比較し、緑化システムとしての構成がシンプルであるため、縦型緑化ルーバーのコストを低く抑えることができる。また、植物に枯れが生じにくく、灌水を行う構成も容易にすることができ、且つメンテナンスも容易になるため、緑化システムのランニングコストを低く抑えることも可能になる。
【００２７】
また、本発明の縦型緑化ルーバーにおいては、前記複数の緑化構造体を接地面上に立設して構成されていてもよい。
【００２８】
この発明においては、縦型緑化ルーバーを、建物などの構造物の外側に外構として設置したり、公園や広場などにオブジェ風に設置するなどし、建物の庭、公園や広場などの開放空間に緑化を施すことができる。また、柱状あるいは壁状の複数の緑化構造体を並設して縦型緑化ルーバーが構成され、且つ、各緑化構造体が植栽面ではなく、フレーム面を正面に向けて立設されているため、縦型緑化ルーバー（各緑化構造体）の背面側に日陰をつくったり、隣り合う緑化構造体の間の緑を通過した清涼な風を背面側に送ることができる。すなわち、建物の庭、公園や広場などの開放空間に縦型緑化ルーバーを設けることにより、この縦型緑化ルーバーの背面側に涼しい好適な空間を創出することができる。
【００２９】
さらに、本発明の縦型緑化ルーバーにおいては、前記複数の緑化構造体が構造物に一体に設けられ、且つ前記構造物の荷重を支える構造部材として設けられていてもよい。
【００３０】
この発明においては、従来の壁面緑化（緑化ルーバーを含む）のように建物の壁面などに荷重をかけるものと異なり、緑化を施しつつ、緑化構造体を構造物への荷重を支える構造部材として機能させることができる。これにより、合理的な緑化システムを構築することが可能になる。
【発明の効果】
【００３１】
本発明の緑化構造体及びこれを備えた縦型緑化ルーバーにおいては、植物が緑化構造体の側面の植栽面から横方向に生育することになり、強すぎる日射を主にフレーム面に照射させ、植物の枯れや基盤の乾燥を抑止することが可能になる。
【００３２】
また、緑化構造体が柱状もしくは壁状に形成されているため、例えば、上方に給水管（灌水チューブ）を配設し、また上方から下方に基盤に沿って給水管を配設し、この給水管から水を供給することで好適に給水を行うことができる。さらに、給水管から基盤に供給した水が順次流下して下方の基盤に供給され、緑化構造体の下端部側でまとめて排出させることができる。これにより、簡易な構成で好適に給水、排水を行うことができる。
【００３３】
よって、本発明の緑化構造体及びこれを備えた縦型緑化ルーバーによれば、植物の枯れが生じにくく、好適に緑化を施すことが可能な緑化構造体及びこれを備えた縦型緑化ルーバーを実現することができる。
【図面の簡単な説明】
【００３４】
【図１】本発明の一実施形態に係る緑化構造体及び縦型緑化ルーバーを示す斜視図である。
【図２】本発明の一実施形態に係る緑化構造体及び縦型緑化ルーバーを示す正面視図である。
【図３】図２のＸ１−Ｘ１線矢視図であり、本発明の一実施形態に係る緑化構造体及び縦型緑化ルーバーを示す上面視図である。
【図４】図３のＸ２−Ｘ２線矢視図であり、本発明の一実施形態に係る緑化構造体及び縦型緑化ルーバーを示す側面視図である。
【図５】本発明の一実施形態に係る緑化構造体の一部を示す正面視図である。
【図６】本発明の一実施形態に係る緑化構造体の一部を示す側面視図である。
【図７】本発明の一実施形態に係る緑化構造体を示す断面視図である。
【図８】本発明の一実施形態に係る縦型緑化ルーバーの変更例を示す正面視図である。
【図９】図８のＸ３−Ｘ３線矢視図であり、本発明の一実施形態に係る縦型緑化ルーバーの変更例を示す側面視図である。
【図１０】本発明の一実施形態に係る緑化構造体の変更例を示す断面視図である。
【図１１】本発明の一実施形態に係る縦型緑化ルーバーの変更例を示す斜視図である。
【発明を実施するための形態】
【００３５】
以下、図１から図９を参照し、本発明の一実施形態に係る緑化構造体及び縦型緑化ルーバーについて説明する。
【００３６】
本実施形態の縦型緑化ルーバーＡは、図１に示すように、柱状（もしくは壁状）に形成され、所定の間隔をあけて並設された複数の緑化構造体１と、灌水手段とを備えて構成されている。
【００３７】
また、本実施形態の緑化構造体１は、図１から図４に示すように、植栽が施される基盤２と、この基盤２を保持するためのフレーム部材３とを備えて構成されている。
【００３８】
基盤２は、例えば、略立方体状を呈するように形成され、熱融着繊維を含み、加熱処理することで固形化する熱融着培土を用いて形成されている。
【００３９】
熱融着培土は、土壌とパーライトなどの無機質発泡体（発泡体）と熱融着性繊維を混合し熱処理によって固形化して形成されている。すなわち、熱融着培土は、熱処理によって熱融着性繊維同士が接着したり、繊維と発泡体、繊維と土壌が接着することで三次元の網状構造が形成され、これにより、土壌が保持されるとともに固形化した形状が好適に保持される。このように固形化した状態の熱融着培土は、培土基盤が風雨にさらされた場合においても、土壌が外部に流出するようなことがなく、その形状が長期にわたって保持される程度の強度特性を備えている。また、このような熱融着培土は、無機質発泡体の単位体積当りの重量が例えば０．５ｋｇ／リットル以下とされ、この無機質発泡体が混在することによって、軽量化が図られるとともに、植物の生育に対する適度な保水性と排水性が付与されている。
なお、本発明に係る基盤は、必ずしも熱融着倍土を用いて形成されていなくてもよい。
【００４０】
本実施形態のフレーム部材３は、金属製、木製、樹脂製、セラミック製などであり、上下方向Ｔ１に所定の長さを備え、断面コ字状に形成されている。また、このフレーム部材３には、その内面の上下方向Ｔ１の所定位置に基盤２を保持するための基盤受けプレート４が一体に設けられている。
【００４１】
そして、本実施形態の緑化構造体１は、図２から図５に示すように、一対の断面コ字状のフレーム部材３を互いの開口部が対向するように配設し、基盤２の両側端部をそれぞれ、開口部から各フレーム部材３に係合させるようにし、一対のフレーム部材で保持しつつこれら一対のフレーム部材３の間に挟み込むように基盤２を配設して構成されている。また、この緑化構造体１は、各基盤２をフレーム部材３に設けられた基盤受けプレート４によって保持し、上下方向Ｔ１に複数の基盤２を積み重ねるように配設して構成されている。
なお、フレーム部材３の内面から横方向に突出する保持ピン５を設け、この保持ピン５を突き刺して基盤２を保持するようにしてもよい。
【００４２】
これにより、本実施形態の緑化構造体１は、一方のフレーム部材３（３ａ）のフレーム面６によって正面が形成され、他方のフレーム部材３（３ｂ）のフレーム面７によって背面が形成され、これら一対のフレーム部材３の間に露出した基盤２の基盤面（植栽面）８、９によって側面が形成されている。
【００４３】
さらに、本実施形態の緑化構造体１は、図５から図７に示すように、一対のフレーム部材３に架け渡すように取り付けられ、一対のフレーム部材３の間に露出した植栽面８、９を被覆するようにネットなどのメッシュ状の基盤保持部材１０が設けられている。このメッシュ状の基盤保持部材１０によって、基盤２が崩れたり、培土が脱落することがより確実に防止されている。
【００４４】
また、本実施形態の緑化構造体１は、上端部から下端部側の上下方向Ｔ１に灌水手段の灌水チューブ（給水管）１１が配設され、上端部側から灌水チューブ１１によって基盤２に灌水できるように構成されている。さらに、灌水チューブ１１は、上下方向Ｔ１に積み重ねるように設けられた各基盤２に、この灌水チューブ１１に設けられた串状の灌水ノズル（給水口を有する給水部）が突き刺して配設され、水（や養分）を複数の基盤２にそれぞれ供給できるように構成されている。また、本実施形態では、基盤保持部材１０と基盤２の間に灌水チューブ１１を配設するようにし、メッシュ状の基盤保持部材１０によって灌水チューブ１１を保持するように構成されている。
【００４５】
上記のように構成した本実施形態の緑化構造体１は、柱状に形成されており、例えば、最小で、幅５ｃｍ、奥行き１０ｃｍのサイズで形成することができる。
【００４６】
そして、本実施形態の縦型緑化ルーバーＡは、上記のように構成した複数の緑化構造体１を、図１に示すように、接地面１２上に立設しつつ所定の間隔をあけて並設して構成されている。また、建物などの構造物の外側に外構として設置したり、公園や広場などにオブジェ風に設置するなどして構成されている。
【００４７】
また、このとき、各緑化構造体１は、南方向を向く正面に一方のフレーム部材３（３ａ）によって形成されるフレーム面６を配し、隣り合う緑化構造体１の側面同士、すなわち隣り合う緑化構造体１の基盤２によって形成される植栽面８、９同士が対向するように配設される。これにより、基盤２に植栽した植物が隣り合う緑化構造体１の間から生育して緑化が施される。
【００４８】
さらに、本実施形態の縦型緑化ルーバーＡでは、建物などの構造物の外側に外構として設置したり、公園や広場などにオブジェ風に設置する場合に、図２に示すように、接地面１２に固設した下部受け部材１３に下端部を支持させ、緑化構造体が立設される。
【００４９】
ここで、本実施形態の緑化構造体１、縦型緑化ルーバーＡを建物などの構造物の外側に外構として設置したり、公園や広場などにオブジェ風に設置する場合（建物などの構造物の壁面に組み込んだり、ガラス前に設置する場合）などにおいて、例えば、図８及び図９に示すように、断面コ字状に形成され、上方に開口部を向けて配設された下部受け部材１３に緑化構造体１の下端部を係合させ、断面コ字状に形成され、下方に開口部を向けて配設された上部受け部材１４に上端部を係合させて、複数の緑化構造体１を一体に設けるようにしてもよい。
【００５０】
この場合、下部受け部材１３は、複数の緑化構造体１の下端部を支持するとともに縦型緑化ルーバーＡの下端部側の意匠性を高めたり、各緑化構造体１の基盤２に供給して下方に流下した灌水を受ける排水ドレーンとして機能する。また、上部受け部材１４は、複数の緑化構造体１の上端部を支持するとともに、灌水チューブ１１を内包するなどし、縦型緑化ルーバーＡの上端部側の意匠性を高めるものとして機能する。
【００５１】
そして、上記のように構成した本実施形態の緑化構造体１、縦型緑化ルーバーＡにおいては、柱状（もしくは壁状）に形成されるとともに、正面がフレーム部材３のフレーム面６で形成され、側面が基盤２を露出させた植栽面８、９で形成されているため、植物が緑化構造体１の側面の植栽面８、９から横方向に生育することになる。これにより、強すぎる日射を主にフレーム面６に照射させ、植物の枯れや基盤２の乾燥を抑止することが可能になる。
【００５２】
また、柱状（もしくは壁状）に形成されているため、上方に灌水チューブ１１を配設し、また上方から下方に基盤２に沿って灌水チューブ１１を配設し、この灌水チューブ１１から水を供給することで好適に給水を行うことができる。さらに、灌水チューブ１１から基盤２に供給した水が順次流下して下方の基盤２に供給され、緑化構造体１の下端部側でまとめて排出させることができる。これにより、簡易な構成で好適に給水、排水を行うことができる。
【００５３】
よって、本実施形態の緑化構造体１及びこれを備えた縦型緑化ルーバーＡによれば、植物の枯れが生じにくく、好適に緑化を施すことが可能な緑化構造体１及び縦型緑化ルーバーＡを実現することができる。
【００５４】
また、本実施形態の緑化構造体１及び縦型緑化ルーバーＡにおいては、正面６と背面７をそれぞれ形成する一対のフレーム部材３を備え、一対のフレーム部材３の間に挟み込むように基盤２を配設し、一対の側面に植栽面８、９が形成されようにしている。これにより、緑化構造体１の両側面に植栽面８、９を好適に形成でき、緑化構造体１の両側から植物を生育させることができる。また、一対のフレーム部材３を正面６側と背面７側に配しつつ基盤２を挟み込むように配設するだけで、容易に緑化構造体１を形成することができる。
【００５５】
さらに、側面に配設された植栽面８、９を被覆するようにメッシュ状の基盤保持部材１０が設けられていることにより、万一、風雨などで基盤２に崩れが生じた場合であっても基盤保持部材１０で保持することができる。これにより、基盤２が崩落するなどして植物の生育に支障を招くことを防止でき、好適に植物を生育させることができる。
また、基盤保持部材１０を設けることにより、灌水用の灌水チューブ１１を基盤２との間で挟み込むようにして保持することも可能になる。これにより、灌水の給水、排水のための構成が複雑になることを防止できる。
【００５６】
そして、本実施形態の縦型緑化ルーバーＡにおいては、緑化構造体１を所定の間隔をあけて複数並設し、縦型のルーバーとして備えることにより、日射や風の影響を少なくし、好適に植物を生育させることが可能な緑化システムを構築することが可能になる。また、万一植物に枯れが発生した場合であっても、緑化構造体１の側面から植物が生育し、正面がフレーム面６とされているため、縦型緑化ルーバーＡ全体としての見栄えの悪化を招くことがない（抑えることができる）。
【００５７】
また、側面から植物が生育し、側面同士を対向させるように並設された複数の緑化構造体１を縦型ルーバーとして用いているため、隣り合う緑化構造体１の間を通じ、緑越しに景観を楽しむことができる。さらに、側面から植物を生育させるように構成した複数の緑化構造体１を並設して縦型緑化ルーバーＡを構成するようにしたことで、従来の壁面緑化システムや、ネット、ワイヤーを用いた緑化システムなどと比較し、緑化システムとしての構成がシンプルであるため、縦型緑化ルーバーＡのコストを低く抑えることができる。また、植物に枯れが生じにくく、灌水を行う構成も容易にすることができ、且つメンテナンスも容易になるため、緑化システムのランニングコストを低く抑えることも可能になる。
【００５８】
また、縦型緑化ルーバーＡを、建物などの構造物の外側に外構として設置したり、公園や広場などにオブジェ風に設置するなどし、建物の庭、公園や広場などの開放空間に緑化を施すことができる。また、柱状（あるいは壁状）の複数の緑化構造体１を並設して縦型緑化ルーバーＡが構成され、且つ、各緑化構造体１が植栽面８、９ではなく、フレーム面６を正面に向けて立設されているため、縦型緑化ルーバーＡ（各緑化構造体１）の背面側に日陰をつくったり、隣り合う緑化構造体１の間の緑を通過した清涼な風を背面７側に送ることができる。すなわち、建物の庭、公園や広場などの開放空間に縦型緑化ルーバーＡを設けることにより、この縦型緑化ルーバーＡの背面７側に涼しい好適な空間を創出することができる。
【００５９】
以上、本発明に係る緑化構造体及び縦型緑化ルーバーの実施形態について説明したが、本発明は上記の一実施形態に限定されるものではなく、その趣旨を逸脱しない範囲で適宜変更可能である。
【００６０】
例えば、本実施形態では、断面コ字状の一対のフレーム部材３を備えて緑化構造体１が構成されているものとしたが、本発明に係る緑化構造体は、正面にフレーム面が形成され、且つ側面に基盤が露出して植栽面が形成されていれば、あらゆる構成を採用することが可能であり、例えば図１０に示すように、断面Ｃ字状のフレーム部材３の内部に基盤２を設けて、正面にフレーム面６、側面に植栽面８を形成し、緑化構造体１を構成するようにしてもよい。
【００６１】
また、本発明に係る緑化構造体は、必ずしも複数並設して用いることに限定されるものではなく、１本の緑化構造体を設置して緑化を施すように用いられてもよい。
【００６２】
さらに、本実施形態の緑化構造体１、縦型緑化ルーバーＡは、図１１に示すように、建物などの構造物１５の壁面１５ａに組み込んだり、ガラス前に設置するようにしてもよい。すなわち、緑化構造体１、縦型緑化ルーバーＡを建物などの構造物１５に一体に支持させて設けるようにしてもよい。
そして、この場合には、従来の壁面緑化（緑化ルーバーを含む）のように建物の壁面などに荷重をかけるものと異なり、緑化を施しつつ、緑化構造体１を構造物１５への荷重を支える構造部材にすることもできる。これにより、合理的な緑化システムを実現することが可能になる。
【符号の説明】
【００６３】
１      緑化構造体
２      基盤
３      フレーム部材
３ａ    一方のフレーム部材
３ｂ    他方のフレーム部材
４      基盤受けプレート
５      保持ピン
６      正面（フレーム面）
７      背面
８      側面（植栽面／基盤面）
９      側面（植栽面／基盤面）
１０    基盤保持部材
１１    灌水チューブ（給水管／灌水手段）
１２    接地面
１３    下部受け部材
１４    上部受け部材
１５    構造物
１５ａ  壁面
Ａ      縦型緑化ルーバー
Ｔ１    上下方向
【図１】
2015211660.tif 000003
【図２】
2015211660.tif 000004
【図３】
2015211660.tif 000005
【図４】
2015211660.tif 000006
【図５】
2015211660.tif 000007
【図６】
2015211660.tif 000008
【図７】
2015211660.tif 000009
【図８】
2015211660.tif 000010
【図９】
2015211660.tif 000011
【図１０】
2015211660.tif 000012
【図１１】
2015211660.tif 000013